(57)【要約】      （修正有）【課題】細いドリルチップ等の物品でも、運搬の際の振動等によって損傷乃至破損するおそれなく確実かつ簡単に収納保持することができる物品収納ケースを提供する。【解決手段】一端が開口した筒状のケース体２を備え、このケース体２に物品１１を収納するようにした物品収納ケース１において、  物品の基部１２に外嵌すると共にケース体の開口を塞ぐようにケース体の開口端側に着脱自在に内嵌する物品保持体３が設けられ、物品の基部１２に外嵌した状態で物品保持体３をケース体２の開口端側に内嵌したとき、物品保持体３が縮小して物品の基部１２を抱持することにより、物品の先端側１３をケース体２の内面に接触しないようにケース体内に保持可能となるように、物品保持体３は拡縮自在とされている。【選択図】図１
2006044753.tif 000002
【特許請求の範囲】
【請求項１】
一端が開口した筒状のケース体（２，３２）を備え、このケース体（２，３２）に物品（１１）を収納するようにした物品収納ケースにおいて、
物品（１１）の基部（１２）に外嵌すると共にケース体（２，３２）の開口を塞ぐようにケース体（２，３２）の開口端側に着脱自在に内嵌する物品保持体（３）が設けられ、物品（１１）の基部（１２）に外嵌した状態で物品保持体（３）をケース体（２，３２）の開口端側に内嵌したとき、物品保持体（３）が縮小して物品（１１）の基部（１２）を抱持することにより、物品（１１）の先端側をケース体（２，３２）の内面に接触しないようにケース体（２，３２）内に保持可能となるように、物品保持体（３）は拡縮自在とされていることを特徴とする物品収納ケース。
【請求項２】
物品（１１）を収納する内ケース体（３２）と外ケース体（３３）とを備え、内ケース体（３２）及び外ケース体（３３）は、それぞれ一端が開口された筒状に形成され、内ケース体（３２）に対して外ケース体（３３）が長手方向に摺動自在に外嵌されて、伸縮調整自在に構成された物品収納ケースにおいて、
物品（１１）の基部（１２）に外嵌する物品保持体（３）が設けられ、物品保持体（３）は、内ケース体（３２）の開口を塞ぐように内ケース体（３２）の開口端側に着脱自在に内嵌する内嵌部（１７）を有し、物品保持体（３）を物品（１１）の基部（１２）に外嵌した状態で物品保持体（３）の内嵌部（１７）を内ケース体（３２）の開口端側に内嵌したとき、物品保持体（３）が縮小して物品（１１）の基部（１２）を抱持することにより、物品（１１）の先端側を内ケース体（３２）の内面に接触しないように内ケース体（３２）内に保持可能となるように、物品保持体（３）の内嵌部（１７）側は拡縮自在とされていることを特徴とする物品収納ケース。
【請求項３】
前記物品保持体（３）は、内ケース体（３２）の開口端側に内嵌する内嵌部（１７）と、内ケース体（３２）の開口端側から外方突出する外方突出部（１８）とを有し、外方突出部（１８）から物品（１１）の基部（１２）が外方突出するように、物品保持体（３）は物品（１１）の基部（１２）に外嵌可能とされ、内ケース体（３２）に対して外ケース体（３３）を長手方向に摺動自在に外嵌したとき、物品保持体（３）の外方突出部（１８）及び外方突出部（１８）から外方突出した物品（１１）の基部（１２）を、外ケース体（３３）内に収納可能にしたことを特徴とする請求項２に記載の物品収納ケース。
【請求項４】
前記物品保持体（３）は、物品（１１）の基部（１２）を抱持する一対の抱持体（２５）を有し、一対の抱持体（２５）は、該一対の抱持体（２５）で物品（１１）の基部（１２）に外嵌する閉状態と物品（１１）への外嵌を解除する開状態とに、開閉自在となるように、ヒンジ部（２６）を介して連結されていることを特徴とする請求項１又は２に記載の物品収納ケース。
【請求項５】
前記物品保持体（３）は、物品（１１）の基部（１２）を挿入保持する保持孔（２１）を有する筒状に形成され、物品保持体（３）に、保持孔（２１）に達するスリット（２３）が物品保持体（３）が拡縮可能となるように周方向に複数設けられていることを特徴とする請求項１又は２に記載の物品収納ケース。
【発明の詳細な説明】
【技術分野】
【０００１】
本発明は、切削工具その他の各種の物品を収納する物品収納ケースに関するものである。
【背景技術】
【０００２】
例えば、工具等を収納する所謂アジャスタブルケースと称される物品収納ケースには、一端が開口され他端が閉塞された断面正方形状の角筒状の内ケース体と、一端が開口され他端が閉塞された断面正方形状の角筒状の外ケース体とを備え、内ケース体の側壁の外面に、凹凸列を長手方向に設け、外ケース体の側壁の内面に、前記凹凸列に係脱自在に係合する係合部を設け、内ケース体の閉塞端と外ケース体の閉塞端とが長手方向両側に位置するように、内ケース体に対して外ケース体を長手方向に摺動自在に外嵌して、前記係合部の凹凸列への係脱により伸縮調整自在に構成したものがある。この種の従来の物品収納ケースでは、内ケース体との外ケース体との間にドリルチップ等の物品を収納して、内ケース体の閉塞端と外ケース体の閉塞端との間で物品を挟持して、内ケース体と外ケース体との間に物品をガタ付かないように収納保持するようにしていた（例えば特許文献１及び特許文献２）。
【特許文献１】特開平１０−３１６１４１号公報
【特許文献２】特開２０００−３１３４４０号公報
【発明の開示】
【発明が解決しようとする課題】
【０００３】
ところで、物品収納ケースに収納される物品には、例えばドリルチップとしてシャンクと該シャンクから突出した数マイクロメータ（μｍ）程度の細いドリル刃と備えるものがあり、このような細い物品を物品収納ケースで収納する場合には、内ケース体の閉塞端と外ケース体の閉塞端との間で物品をガタ付かないように挟持することは困難になるため、運搬等の際の振動等によって、細いドリルチップ等の物品が物品収納ケース内で大きく揺動乃至振動して物品収納ケースの内面に衝当し、これによって、物品収納ケースに収納したドリルチップ等の物品が損傷乃至破損してしまうという問題があった。
【０００４】
本発明は上記問題点に鑑み、細いドリルチップ等の物品でも、運搬の際の振動等によって損傷乃至破損するおそれなく確実かつ簡単に収納保持することができる物品収納ケースを提供することを目的とする。
【課題を解決するための手段】
【０００５】
この技術的課題を解決するための本発明の技術的手段は、一端が開口した筒状のケース体を備え、このケース体に物品を収納するようにした物品収納ケースにおいて、
物品の基部に外嵌すると共にケース体の開口を塞ぐようにケース体の開口端側に着脱自在に内嵌する物品保持体が設けられ、物品の基部に外嵌した状態で物品保持体をケース体の開口端側に内嵌したとき、物品保持体が縮小して物品の基部を抱持することにより、物品の先端側をケース体の内面に接触しないようにケース体内に保持可能となるように、物品保持体は拡縮自在とされている点にある。
【０００６】
また、本発明の他の技術的手段は、物品を収納する内ケース体と外ケース体とを備え、内ケース体及び外ケース体は、それぞれ一端が開口された筒状に形成され、内ケース体に対して外ケース体が長手方向に摺動自在に外嵌されて、伸縮調整自在に構成された物品収納ケースにおいて、
物品の基部に外嵌する物品保持体が設けられ、物品保持体は、内ケース体の開口を塞ぐように内ケース体の開口端側に着脱自在に内嵌する内嵌部を有し、物品保持体を物品の基部に外嵌した状態で物品保持体の内嵌部を内ケース体の開口端側に内嵌したとき、物品保持体が縮小して物品の基部を抱持することにより、物品の先端側を内ケース体の内面に接触しないように内ケース体内に保持可能となるように、物品保持体の内嵌部側は拡縮自在とされている点にある。
【０００７】
また、本発明の他の技術的手段は、前記物品保持体は、内ケース体の開口端側に内嵌する内嵌部と、内ケース体の開口端側から外方突出する外方突出部とを有し、外方突出部から物品の基部が外方突出するように、物品保持体は物品の基部に外嵌可能とされ、内ケース体に対して外ケース体を長手方向に摺動自在に外嵌したとき、物品保持体の外方突出部及び外方突出部から外方突出した物品の基部を、外ケース体内に収納可能にした点にある。
また、本発明の他の技術的手段は、前記物品保持体は、物品の基部を挿入保持する保持孔を有する筒状に形成され、物品保持体に、保持孔に達するスリットが物品保持体が拡縮可能となるように周方向に複数設けられている点にある。
【発明の効果】
【０００８】
本発明によれば、細いドリルチップ等の物品でも、運搬の際の振動等によっては損傷乃至破損するおそれなく確実かつ簡単に収納保持することができる。
【発明を実施するための最良の形態】
【０００９】
以下、本発明の実施の形態を図面に基づいて説明する。
図１〜図６は本発明の一実施の形態を示し、同図において、１は物品収納ケースで、一端が開口され他端が閉塞された筒状のケース体２と、物品の基部に外嵌する物品保持体３とを備え、ドリルチップ等の物品の基部を物品保持体３で抱持した状態でケース体２にドリルチップ等の物品を収納するようになっている。
ケース体２は、ポリプロピレン、ポリエチレンその他の透明な合成樹脂を射出成形して一体に形成したもので、４個の側壁８と底壁９とを一体に有する断面正方形状の有底角筒状に形成されている。
【００１０】
物品収納ケース１に収納される物品は、図例ではドリルチップ１１とされ、このドリルチップ１１は物品の基部であるシャンク１２と物品の先端側であるドリル刃１３とを備える。ドリル刃１３の先端側は太さが数マイクロメータ（μｍ）とされて、髪の毛よりも細く形成されている。
物品保持体３は、比較的軟質でかつ弾性に富む材料例えば硬度８０程度のウレタンやポリプロピレンやエラストマー等により角筒状に形成され、ケース体２の開口端側に内嵌する内嵌部１７と、ケース体２の開口端側から外方突出する外方突出部１８とを一体に有し、内嵌部１７と外方突出部１８との間に係合鍔部１９が設けられている。係合鍔部１９はケース体２の開口の大きさよりも大に形成されて、ケース体２の開口端面に接当することにより、ケース体２に対して挿入不能とされている。物品保持体３の中央部には軸心方向に保持孔２１が形成され、保持孔２１は内嵌部１７、係合鍔部１９及び外方突出部１８を軸心方向に貫通している。
【００１１】
物品保持体３の内嵌部１７側に、スリット２３が周方向に複数（４個）形成されている。これらスリット２３は物品保持体３の対角線方向に配置され、各スリット２３は保持孔２１に達しており、これらスリット２３により、物品保持体３の内嵌部１７側は拡縮自在になっている。また、物品保持体３の内嵌部１７側は、物品保持体３をシャンク１２に外嵌した状態でケース体２の開口の大きさよりもやや大きくなるように形成されている。従って、ドリルチップ１１のシャンク２に物品保持体３を外嵌した状態で、ドリルチップ１１のドリル刃１３をケース体２内に挿入しながら、物品保持体３の内嵌部１７をケース体２の開口端側に内嵌したとき、物品保持体３の内嵌部１７側が縮小してシャンク１２を強く抱持し、これにより、ドリルチップの１１のドリル刃１３（物品の先端）側をケース体２の内面に接触しないようにケース体２内に保持可能となるように構成されている。
【００１２】
また、図３〜図６に示すように、物品保持体３は、対角線方向の一対のスリット２３の部分で、一対の半割筒状の抱持体２５に二分割された状態になっており、各抱持体２５は、それぞれ対角線方向に二分割された内嵌部１７、係合鍔部１９及び外方突出部１８の片方ずつをそれぞれ一体に有し、一対の抱持体２５は、ヒンジ部２６を介して互いに連結されており、物品保持体３は、図１及び図２の実線で示すように、一対の抱持体２５が角筒形状なるように組み合わされてドリルチップ（物品）１１のシャンク（基部）１２に外嵌する閉状態と、図２の鎖線及び図３、図４、図６に示すように、一対の抱持体２５が開いてシャンク１２への外嵌を解除する開状態とに、開閉自在となるように構成されている。
【００１３】
上記実施の形態によれば、物品収納ケース１にドリルチップ１１を収納する場合、一対の抱持体２５を閉状態にして、物品保持体３を保持孔２１を介してドリルチップ１１のシャンク１２に外嵌し、この状態で、ドリルチップ１１のドリル刃１３側をケース体２内に挿入しながら、物品保持体３の内嵌部１７側をケース体２の開口端側に内嵌すると、物品保持体３の内嵌部１７側が縮小して物品保持体３の内嵌部１７側でドリルチップ１１のシャンク１２を強く抱持し、これにより、ドリルチップ１１のドリル刃１３側をケース体２の内面に接触しないようにケース体２内に保持される。
【００１４】
従って、物品収納ケース１に収納する物品として、先端側の太さが数マイクロメータのドリル刃１３を有するようなドリルチップ１１を用いる場合であっても、ドリルチップ１１の先端側がケース体２の内面に接触しないように簡単かつ確実に収納保持することができ、運搬の際の振動等によって、細いドリルチップ１１等の物品が物品収納ケース１内で大きく揺動乃至振動してケース体２の内面に衝当するのを防ぐことができ、細いドリルチップ１１等の物品が損傷乃至破損するのを防止することができる。
図７〜図９は他の実施形態を示し、前記図１〜図６の実施形態の場合のように物品保持体３を一対の抱持体２５に分割して開閉自在に構成することなく、角筒状のブロックに構成したものであり、物品保持体２５は、前記実施の形態の場合と同様に、内嵌部１７と外方突出部１８とを有し、外方突出部１８はケース体２と略同形の角筒状に形成され、この外方突出部１８は前記実施の形態における係合鍔部１９を兼用している。その他の点は前記実施の形態の場合と同様の構成であり、前記実施の形態の場合と同様に細いドリル刃１３を有するドリルチップ１１のような物品を簡単かつ確実に収納することができて、運搬の際の振動等によって、細いドリルチップ１１等の物品が損傷乃至破損するのを防止することができる。
【００１５】
図１０〜図１５は他の実施形態を示し、物品収納ケース（アジャスタブルケース）１は、一端が開口され他端が閉塞された筒状の内ケース体３２と、一端が開口され他端が閉塞された筒状の外ケース体３３と、物品の基部に外嵌する物品保持体３とを備える。
外ケース体３３は内ケース体３２に対して長手方向に摺動自在に外嵌されて、内ケース体３２と外ケース体３３とは、内ケース体３２の閉塞端と外ケース体３３の閉塞端とが長手方向両側に位置するように組み合わされ、これにより、物品収納ケース１は伸縮調整自在に構成されている。
【００１６】
前記内ケース体３２は、４個の側壁３８と底壁３９とを一体に有する断面正方形状の有底角筒状に形成され、内ケース体３２の底壁３９に開口孔４０が設けられている。内ケース体３２は、ポリプロピレン、ポリエチレンその他の透明な合成樹脂を射出成形して一体形成したもので、内ケース体３２とは別体に構成した栓体３７が開口孔４０を塞ぐように内ケース体３２に装着されている。
前記外ケース体３３は、４個の側壁４７と底壁４８とを有する断面方形状の有底角筒状に形成され、外ケース体３３の底壁４８に開口孔４９が設けられている。外ケース体３３は、内ケース体３２と同様にポリプロピレン、ポリエチレンその他の透明な合成樹脂を射出成形して一体形成したもので、外ケース体３３とは別体に構成した栓体４６が開口孔３９を塞ぐように外ケース体３３に装着されている。
【００１７】
内ケース体３２の全ての側壁３８の外面に、凹凸列５３が幅方向一対ずつ設けられている。この凹凸列５３は、各側壁３８の外面における角筒コーナー部から外れた幅方向両側に長手方向に設けられている。各凹凸列５３は、内ケース体３２の側壁３８外面に、係止凸部５５を一定間隔おきに長手方向に列設することにより構成され、各係止凸部５５は、内ケース体３２の側壁３８の外面に一定間隔おきに中実の截頭角錐状の突起を設けてなる。
前記外ケース体３３の全ての側壁４７の内面に、前記凹凸列５３に係脱自在に係合する凸状の係合部５７が幅方向一対ずつ設けられている。この係合部５７は、側壁４７の内面における角筒コーナー部の稜線から外れた幅方向両側に前記凹凸列５３に対応して設けられ、外ケース体３３の開口端部側に、長手方向に複数個（図例では３個）ずつ配置されている。各係合部５７は、外ケース体３３の側壁４７の内面に中実の截頭角錐状の突起を設けてなり、内ケース体３２の凹凸列５３の係止凸部５５よりもやや大きく形成され、凹凸列５３の隣り合う係止凸部５５間に係合するようになっている。
【００１８】
物品保持体３は、前記図１〜図６の実施の形態の場合と同様の構成であって、物品保持体３は、内ケース体３２の開口端側に内嵌する内嵌部１７と、内ケース体３２の開口端側から外方突出する外方突出部１８と、係合鍔部１９とを一体に有し、係合鍔部１９は内ケース体３２の開口の大きさよりも大に形成されて、内ケース体３２に対して挿入不能とされ、物品保持体３の中央部には軸心方向に保持孔２１が形成されている。
また、物品保持体３の内嵌部１７側に、スリット２３が周方向に複数（４個）形成され、これらスリット２３により、物品保持体３の内嵌部１７側は拡縮自在になっている。また、物品保持体３の内嵌部１７側は、物品保持体３をシャンク１２に外嵌した状態で内ケース体３２の開口の大きさよりもやや大きくなるように形成されている。従って、ドリルチップ１１のシャンク２に物品保持体３を外嵌した状態で、ドリルチップ１１のドリル刃１３を内ケース体３２内に挿入しながら、物品保持体３の内嵌部１７を内ケース体３２の開口端側に内嵌したとき、物品保持体３の内嵌部１７側が縮小してシャンク（物品の基部）２を強く抱持し、これにより、ドリルチップ１１のドリル刃３（物品の先端）側を内ケース体３２の内面に接触しないように内ケース体３２内に保持可能となるように構成されている。
【００１９】
また、物品保持体３は、一対の半割筒状の抱持体２５に二分割された状態になっており、一対の抱持体２５は、ヒンジ部２６を介して互いに連結され、ドリルチップ（物品）１１のシャンク（基部）１２に外嵌する閉状態と、一対の抱持体２５が開いてシャンク１２への外嵌を解除する開状態とに、開閉自在となるように構成されている。
そして、物品収納ケース１に収納されるドリルチップ１１のシャンク１２が内嵌部１７及び外方突出部１８の両側から外方突出するように、物品保持体３はドリルチップ１１のシャンク１２に外嵌可能とされ、内ケース体３２に対して外ケース体３３を長手方向に摺動自在に外嵌したとき、物品保持体３の外方突出部１８及び外方突出部１８から外方突出したドリルチップ１１のシャンク１２を、外ケース体３３内に収納可能になるように構成されている。
【００２０】
上記実施の形態によれば、シャンク１２等が比較的長いドリルチップ１１を物品収納ケース１に収納する場合、一対の抱持体２５を閉状態にして、内嵌部１７側からドリルチップ１１のドリル刃１２が外方突出すると共に、シャンク１２の両端部が物品保持体３の内嵌部１７及び外方突出部１８からそれぞれ外方突出するように、物品保持体３を保持孔２１を介してドリルチップ１１のシャンク１２に外嵌し、この状態で、ドリルチップ１１のドリル刃１３側を内ケース体３２内に挿入しながら、物品保持体３の内嵌部１７側を内ケース体３２の開口端側に内嵌すると、物品保持体３の内嵌部１７側が縮小して物品保持体３の内嵌部１７側でドリルチップ１１のシャンク１２を強く抱持し、これにより、ドリルチップ１１のドリル刃１３側をケース体２の内面に接触しないようにケース体２内に保持される。
【００２１】
その後、内ケース体３２の開口端側から外ケース体３３の開口端側を外嵌し、内ケース体３２に対して外ケース体３３を長手方向に摺動させて、物品収納ケース１を伸縮調整することにより、内ケース体３２の各凹凸列５３に対して、外ケース体３３の各係合部５７が係脱を繰り返して、内ケース体３２と外ケース体３３とが所望の伸縮位置で互いに位置決め保持される。その結果、物品保持体３の外方突出部１８及び外方突出部１８から外方突出したドリルチップ１１のシャンク１２を、外ケース体３３内に簡単に収納することができる。
【００２２】
従って、物品収納ケース１に収納する物品として、先端側の太さが数マイクロメータのドリル刃１３を有するようなドリルチップ１１であって、そのドリルチップ１１が相当長いものであっても、ドリルチップ１１の先端側が内ケース体３２の内面に接触しないように簡単かつ確実に収納保持することができ、運搬等の際の振動等によって、細いドリルチップ１１等の物品が物品収納ケース１内で大きく揺動乃至振動して内ケース体３２の内面に衝当し、これによって、細いドリルチップ１１等の物品を損傷乃至破損するのを防止することができる。
【００２３】
なお、前記図１０〜図１５の実施の形態では、物品保持体３として、前記図１〜図６の実施の形態の場合と同様に、物品保持体を一対の抱持体２５に分割して開閉自在に構成したものを使用しているが、これに代え、物品保持体３として、前記図７〜図９の実施形態の場合と同様に、物品保持体を角筒状のブロックに構成したものを使用するようにしてもよい。
また、前記図１０〜図１５の実施の形態では、内ケース体３２及び外ケース体３３が、断面正方形状の角筒状に形成され、内ケース体３２の全ての側壁３８の外面に、凹凸列５３が幅方向一対ずつ設けられ、外ケース体３３の全ての側壁４７の内面に、係合部５７が幅方向一対ずつ設けられているが、これに代え、内ケース体３２及び外ケース体３３を、断面正方形状の角筒状に形成し、内ケース体３２の全ての側壁３８の外面に、前記凹凸列５３を幅方向一対ずつ設け、外ケース体３３の対向する一対の側壁４７の内面のみに、前記係合部５７を幅方向一対ずつ設けるようにしてもよい。この場合、外ケース体３３の対向する一対の側壁４７のみに、係合部５７を幅方向一対ずつ設けているにも拘わらず、内ケース体３２の開口端と外ケース体３３の開口端とを合わせて、内ケース体３２の開口端側から外ケース体３３の開口端側を外嵌させる際に、内ケース体３２の各側壁３８に対して内外に重合する外ケース体３３の側壁４７を任意に選定することができ、このため内ケース体３２に対して外ケース体３３を外嵌する際の、内ケース体３２の開口端と外ケース体３３の開口端とを位置合わせが簡単になり、内ケース体３２と外ケース体３３とを容易に組み合わせることができる。
【００２４】
また、内ケース体３２及び外ケース体３３を断面正方形状の角筒状に形成し、外ケース体３３の全ての側壁４７の内面に、前記係合部５７を幅方向一対ずつ設け、内ケース体３２の対向する一対の側壁３８の外面に、前記凹凸列５３を幅方向一対ずつ設けるようにしてもよい。この場合も、内ケース体３２の対向する一対の側壁３８のみに、凹凸列５３を幅方向一対ずつ設けているにも拘わらず、内ケース体３２の開口端と外ケース体３３の開口端とを合わせて、内ケース体３２の開口端側から外ケース体３３の開口端側を外嵌させる際に、内ケース体３２の各側壁３８に対して内外に重合する外ケース体３３の側壁４７を任意に選定することができ、このため内ケース体３２に対して外ケース体３３を外嵌する際の、内ケース体３２の開口端と外ケース体３３の開口端とを位置合わせが簡単になり、内ケース体３２と外ケース体３３とを容易に組み合わせることができる。
【００２５】
さらに、前記図１０〜図１５の実施の形態では、内ケース体３２及び外ケース体３３を、断面正方形状の角筒状に形成しているが、これに代え、内ケース体３２及び外ケース体３３を、断面長方形状の角筒状に形成するようにしてもよい。この場合、内ケース体３２の全ての側壁３８の外面に凹凸列５３を幅方向一対ずつ設けると共に、外ケース体３３の全ての側壁４７の内面に、係合部５７を幅方向一対ずつ設けるようにしてもよいし、内ケース体３２の対向する一対の側壁３８の外面に凹凸列５３を幅方向一対ずつ設けると共に、外ケース体３３の対向する一対の側壁４７の内面に、係合部５７を幅方向一対ずつ設けるようにしてもよい。
【００２６】
なお、前記実施の形態では、物品収納ケース１のケース体２、内ケース体３２及び外ケース体３３は、一端が開口した角筒状に形成されているが、これに代え、物品収納ケース１のケース体２又は内ケース体３２及び外ケース体３３を、一端が開口した円形又は楕円形の筒状或いは三角形その他の多角形の筒状に形成するようにしてもよく、この場合、物品収納ケース１のケース体２、内ケース体３２及び外ケース体３３の形状に対応して物品保持体３の形状を円形又は楕円形の筒状或いは三角形その他の多角形の筒状等に形成すればよい。
【００２７】
また、前記実施の形態では、物品収納ケース１のケース体２、内ケース体３２、外ケース体３３は一端が開口し他端が閉塞した有底筒状に形成されているが、これに代え、物品収納ケース１のケース体２、内ケース体３２、外ケース体３３は両端が開口した筒状に形成してもよい。
また、前記実施の形態では、物品収納ケース１に収納される物品として、ドリルチップ１を例示しているが、物品収納ケース１に収納される物品は、エンドミル、タップ等の切削工具その他であってもよく、物品は細いものに限定されず、例えば数ミリ程度の太さのドリル刃を有するドリルチップ等であってもよい。
【図面の簡単な説明】
【００２８】
【図１】本願発明の一実施の形態を示す側面断面図である。
【図２】同図１のＡ−Ａ線断面図である。
【図３】同物品保持体の開状態を示す背面図である。
【図４】同物品保持体の開状態を示す平面図である。
【図５】同物品保持体の開状態を示す側面図である。
【図６】同物品保持体の開状態を示す斜視図である。
【図７】他の実施形態を示す側面断面図である。
【図８】同物品保持体の側面図である。
【図９】同図７のＢ−Ｂ線断面図である。
【図１０】他の実施形態を示す側面断面図である。
【図１１】同内ケース体の側面断面図である。
【図１２】同外ケース体の側面断面図である。
【図１３】同図１０のＣ−Ｃ線断面図である。
【図１４】同図１１のＤ−Ｄ線断面図である。
【図１５】同図１２のＥ−Ｅ線断面図である。
【符号の説明】
【００２９】
１    物品収納ケース
２    ケース体
３    物品保持体
１１    ドリルチップ（物品）
１２    シャンク（基部）
１７    内嵌部
１８    外方突出部
２１    保持孔
２３    スリット
２５    抱持体
２６    ヒンジ部
３２    内ケース体
３３    外ケース体
【図１】
2006044753.tif 000003
【図２】
2006044753.tif 000004
【図３】
2006044753.tif 000005
【図４】
2006044753.tif 000006
【図５】
2006044753.tif 000007
【図６】
2006044753.tif 000008
【図７】
2006044753.tif 000009
【図８】
2006044753.tif 000010
【図９】
2006044753.tif 000011
【図１０】
2006044753.tif 000012
【図１１】
2006044753.tif 000013
【図１２】
2006044753.tif 000014
【図１３】
2006044753.tif 000015
【図１４】
2006044753.tif 000016
【図１５】
2006044753.tif 000017